(57)【要約】【課題】  カードホルダーの使い勝手が良く、携帯便利な、カードホルダーを着脱出来る収納カバーを提供する。【解決の手段】  複数枚のカード支持シート１でなるカード入れ２付き、カードホルダーＡを設けた、折り畳み式のホルダーカバーＢにおいて、該カードホルダーＡとホルダーカバーＢとをニ分割し、該カードホルダーＡの綴じ部３に折り曲げ自在でなる保持台紙４を一体化し、折り畳み式のホルダーカバーＢは其の一面ＢＢで折り畳み部Ｂａに開口部Ｂｂを隣接してなるポケットＢｃを具備し、これらのポケットＢｃの開口部Ｂｂに前記するカードホルダーＡの保持台紙４を着脱自在に差し込み合体可能な構成にする。【選択図】図２
2011030993.tif 000002
【特許請求の範囲】
【請求項１】
複数枚のカード支持シート１でなるカード入れ２付きのカードホルダーＡを設けた、折り畳み式のホルダーカバーＢにおいて、該カードホルダーＡとホルダーカバーＢとをニ分割し、該カードホルダーＡの綴じ部３等に折り曲げ自在でなる保持台紙４を一体化し、個別でなる、折り畳み式のホルダーカバーＢは其の一面ＢＢで折り畳み部Ｂａ等に開口部Ｂｂを隣接してなるポケットＢｃを具備し、これらのポケットＢｃの開口部Ｂｂに前記するカードホルダーＡの保持台紙４を着脱自在に差し込み手段で合体可能にしたことを特徴とするカードホルダーを着脱出来る収納カバー。
【発明の詳細な説明】
【技術分野】
【０００１】  この発明は、カードの出し入れ収納する複数枚のカードホルダー綴り合体自在な収納カバーに関する。
【背景技術】
【０００２】  この種の従来の技術として、カードとそれに伴って発行される紙片を収納するためのコンパクトな形状のカードホルダーが、登録実用新案文献１に記載され開示されている。
そしてまた、多種多数のカードを厚みの如何に関わらず、確実に保持させることが出来、目的のカードを容易に見っけだし、取り出すことの出来る小型のカードホルダーが公開実用新案文献２に記載され開示されている。【０００３】  前記する文献１においては、折り畳み式の第１ケースと第２ケースからなり、その第１ケースにはカードを収容するためのバネ板クリップのカード保持部を設け、第２ケースにはカード支払いでのレシートなどを収容するための板バネ等を使っての保持部で、双方の保持部にそれぞれが分割整理されるコンパクトなカードホルダーにし、衣服やバッグ類に収容出来る構成である。【０００４】  次にまた、文献２では、複数枚のカード支持シートの一面に再剥離性粘着層を設け、これらに着脱自在にカードの端部を接合させ、使い勝手を良くし、ホルダーの全体の厚みを薄くし携帯に便利な構成でなるカードホルダーを提供している。【０００５】
【登録実用新案文献１】
登録実用新案公報  第３００１８１６号公報
【公開実用新案文献２】
公開実用新案公報  実開平６−５２５４１号公報
【発明の開示】
【発明が解決しようとする課題】
【０００６】  しかしながら、文献１で記載されるカードの収納は、バネ板クリップにカードを直に積み重ねて収納する為、差し込み用のホルダーを具備しない直挟みは、目的とする必要なカードの取り出しに手間が掛かるだけでなく、積み重ねるカードの多い少ないのばらつきによっては、バネ圧でのカードの挟着保持圧に強弱が出る等の使い勝手に課題がある。【０００７】  次に文献２でのカードホルダーは、カードは差し込みポケットを使わず、複数枚のカード支持シートを重ね合わせ、それぞれのシートの一面に再剥離性粘着剤を付着してのカードとの粘着接合の為、カードを取り出した後に閉じたカード支持シートは、露出した粘着剤に次の頁が接着し、使い勝手に手間がかかるなどの課題が残る。【０００８】  上記するいずれのカードホルダーも数多いカードの中から１枚出し入れするのに使い勝手が悪く、且つカード枚数が増えるごとに、厚くなることで携帯の不便さ、そしてまた、カードの脱落等に、気づかぬまま過ごしてしまう等の、数々の課題が残る為、これらの欠点を改良出来たカードホルダーが強く望まれていた。
【課題を解決するための手段】
【０００９】  この発明は、かかる幾つかの課題を解決するために、請求項１での発明は、図１、図２で述べるように、複数枚のカード支持シート１でなるカード入れ２付き、カードホルダーＡを設けてなる、折り畳み式のホルダーカバーＢにおいて、該カードホルダーＡとホルダーカバーＢとをニ分割し、該カードホルダーＡの綴じ部３に折り曲げ自在でなる保持台紙４を一体化し、個別でなる、折り畳み式のホルダーカバーＢは其の一面ＢＢで、折り畳み部Ｂａに開口部Ｂｂを隣接してなるポケットＢｃを具備し、これらのポケットＢｃに、前記する個別でなる、カードホルダーＡの支持台紙４を着脱自在に差し込み合体可能な構成とする。
【発明の効果】
【００１０】  本発明は、上述の通り構成作用するので次の優れた効果をそうする。即ち、カードホルダーは、必要なカードが、見やすく出し入れ簡単な、外口式の１枚入れポケットでなる、使い勝手の良い、カードホルダーを着脱出来る収納カバーを提供出来る。【００１１】  そしてまた、個別に保有するスペアカードホルダーに其の日使うことの無いカード類をお出かけ前に整理管理保管し、其の日使いのカードのみを入れたカードホルダーをホルダーカバーのポケットに差し込み携帯便利で、安心安全、適材適所に使える、カードホルダーを着脱出来る収納カバーを提供出来る。【００１２】  このように、ホルダーカバーには所定枚数入れのカードホルダーを収納携帯出来る軽量薄型の使い勝手の良い、カードホルダーを着脱出来る収納カバーを提供出来る。
【発明を実施するための最良の形態】
【００１３】  以下に図示の実施例に基づいて本発明を更に詳細に説明する。即ち、図１は本発明での保持台紙４付きでなる、個別でなるホルダーカバーＢに着脱自在に係合可能な構成での、カードホルダーＡの全体を示しての斜視図である。近年個人の携帯するカードの枚数が飛躍的に増加し、プリペイドカード、キャッシュカード、クレジットカード、診察券カード、乗車券カード、等などこれらの各種カードを全部差し込めるカードホルダーは、携帯の面、使い勝手の面、などに課題が多く、ここに新たなカードホルダーＡを提供するもので、これらはカードＣを１枚入れ用での複数枚綴りのカード支持シート１の片面或いは、両面に取り出し口を外向けでなるカード入れ２用ポケットでなるカードホルダーＡは、図２で示す様に、個別でなるホックＡＡなどの留め金具付きでの、３つ折或いは２つ折の折り畳み式のホルダーカバーＢに着脱自在に合体し、収容可能な構成とする。【００１４】  前記するニ分割で、個別でなるカードホルダーＡはその数枚のカード支持シート１でなるポケットの長手方向の１辺縁側面がヒンジ式に折り曲げ自在な綴じ部３で構成し、これらの綴じ部３に一体化する１枚の折り曲げ自在でなる保持台紙４を設け、この保持台紙４が個別で構成するホルダーカバーＢの其の一面ＢＢ内側にポケットＢｃに差し込まれ着脱自在に係合するが、そのポケットＢｃの開口部Ｂｂは折り畳み部Ｂａ側に設け、底部Ｂｄを留め具のホックＡＡ稜辺を折り曲げ等で構成することで、差し込まれたカードホルダーＡの保持台紙４は簡単に抜けることの無い構成とする。【００１５】  このようにニ分割での個別でなるカードホルダーＡは本実施例では、カード支持シート１を３枚使いでの両面ポケットＢｃにすることで、６枚カードＣを収容出来るが、残りカードＣもスペアーで調達するカードホルダーＡを使い整理整頓で貴重品扱いで他の場所に保管すなどすることで、携帯するカードＣは其の日使いでの必要なカードＣをカードホルダーＡに差し込むなどの使い勝手に良い、カードホルダー着脱出来る収納カバーを具現化出来る。狙いとする本発明は、個別のカードホルダーＡ綴りを個別のホルダーカバーＢに着脱自在に合体出来る構成をポイントとし、ホルダーカバーＢに小物いれ或いは名刺入れなどのポケット等を付ける等も良く、双方の構成を特定するもので無い。
【図面の簡単な説明】
【００１６】
【図１】  本発明に係わるカードホルダー綴りの全体を示しての斜視図である。
【図２】  本考案に係わる使用例での一部断面での全体斜視図である。
【符合の説明】
【００１７】  Ａ      カードホルダー
ＡＡ    ホック
Ｂ      ホルダーカバー
ＢＢ    一面
Ｂａ    折り畳み部
Ｂｂ    開口部
Ｂｃ    ポケット
Ｂｄ    底部
Ｃ      カード
１      カード支持シート
２      カード入れ
３      綴じ部
４      保持台紙
【図１】
2011030993.tif 000003
【図２】
2011030993.tif 000004